(57)【特許請求の範囲】
【請求項１】
第１繊維状成分及び第２繊維状成分が交互の層群の形態に配置されたマイクロファイバー複合不織布を含むクリーニングクロスであって、
フィラメント群は、理論的に無限長を有する繊維群であり、
複合フィラメント群は、二つ以上の要素フィラメント群からなり、要素フィラメント群に分離され得るものであり、
少なくとも１つの第１層Ａは、溶融紡糸複合フィラメント群の形態で堆積されてウエブを形成する第１繊維状成分を備え、該群の一部又は全部は、０．０３ｄｔｅｘと０．０６ｄｔｅｘの間の平均力価を有する要素フィラメント群に分離されると共に固化され、
少なくとも１つの層Ｂが前記第１層Ａ上に配置され、
前記層Ｂは、０．１から３ｄｔｅｘの平均力価を有する繊維群の形態で堆積されてウエブを形成すると共に固化される、第２繊維状成分を備え、前記第２繊維状成分は、少なくとも部分的に複合フィラメント群として存在し、且つ、少なくとも部分的に要素フィラメント群に分離され、
少なくとも１つの第２層Ａは、前記層Ｂ上に配置され、
前記第１繊維状成分のフィラメント群が少なくとも部分的に前記第２繊維状成分の繊維群と絡み合うという触手効果が達成され、
前記触手効果は、ＤＩＮ  ＥＮ  ＩＳＯ  １５５７９７に基づく、４５０回の洗濯サイクルまで穴あきが示されないという洗濯性能を有し、
前記クリーニングクロスの、前記第１繊維状成分からなる外側層は、前記クリーニングクロスの、前記第２繊維状成分からなる内側層よりも微細であり、
ＤＩＮ  ＥＮ  ２９０７３により測定された前記クリーニングクロスの秤量は２０〜３００g/m2であり、
前記クリーニングクロスの厚さは、０．５５mmを超えない、クリーニングクロス。
【請求項２】
ｎ＝１〜２０であるところ、Ａ（ＢＡ）nＢＡなる階層構造を特徴とする請求項１に記載のクリーニングクロス。
【請求項３】
前記第１繊維状成分及び／又は前記第２繊維状成分の、複合フィラメント群が、オレンジ型多セグメント構造又はＰＩＥ多セグメント構造の、断面を有することを特徴とする請求項１又は２に記載のクリーニングクロス。
【請求項４】
前記第１繊維状成分の繊維群のＰＩＥ配置が、２４、３２、４８又は６４セグメント群を含むことを特徴とする請求項１から３のいずれかに記載のクリーニングクロス。
【請求項５】
前記複合フィラメント群が、２つ以上の非相溶性熱可塑性ポリマー群からなる、異なるフィラメント群を備えることを特徴とする請求項１から４のいずれかに記載のクリーニングクロス。
【請求項６】
前記第２繊維状成分が、２、４、８又は１６の要素フィラメント群からなる複合フィラメント群を備えることを特徴とする請求項１から５のいずれかに記載のクリーニングクロス。
【請求項７】
前記第１繊維状成分の平均繊維度に対する、前記第２繊維状成分の平均繊維度の比が、１０から３０までの範囲内にあることを特徴とする請求項１から６のいずれかに記載のクリーニングクロス。
【請求項８】
前記第１繊維状成分のフィラメント群の割合が、前記不織布の全重量を基礎として、２０−６０重量％であることを特徴とする請求項１から７のいずれかに記載のクリーニングクロス。
【請求項９】
前記第２繊維状成分のフィラメント群の割合が、前記不織布の全重量を基礎として、４０−８０重量％であることを特徴とする請求項１から８のいずれかに記載のクリーニングクロス。
【請求項１０】
前記複合不織布が、前記第１繊維状成分の要素フィラメント群により形成される表面を含むことを特徴とする請求項１から９のいずれかに記載のクリーニングクロス。
【請求項１１】
ｎ＝１〜１５であるところ、Ａ（ＢＡ）nＢＡなる層シーケンスを特徴とし、前記層群Ａが少なくとも部分的に分離した３２個のＰＩＥフィラメント群を備え、前記層群Ｂが少なくとも部分的に分離した８個のＰＩＥフィラメント群を備え、前記３２個のＰＩＥフィラメント群の前記要素フィラメント群の力価が０．１ｄｔｅｘ未満であり、且つ、前記８個のＰＩＥフィラメント群の要素フィラメント群の力価が０．１−３ｄｔｅｘであることを特徴とする請求項１から１０のいずれかに記載のクリーニングクロス。
【請求項１２】
対称的な階層構造を特徴とする請求項１から１１のいずれかに記載のクリーニングクロス。
【請求項１３】
請求項１から１２のいずれかに記載のクリーニングクロスを形成する方法であって、
前記第１繊維状成分からなるフィラメント群を備える２つ又はそれ以上の繊維層群Ａと前記第２繊維状成分からなるフィラメント群を備える１つ又はそれ以上の繊維層Ｂとを分離して紡いで堆積されてウエブを形成し、且つ、予め固化するステップと、
外側層群が前記繊維層群Ａにより形成されるという条件に従って、前記繊維層群Ａと前記繊維層Ｂとを互いの上に交互に配置するステップと、
層組立体が水流交絡処理され、それにより、前記第１繊維状成分及び前記第２繊維状成分が分離され、前記層群Ａ及び前記層群Ｂを、それ自体内に、及び、それらの間に、固化するステップと、
前記層組立体を完成させてクリーニングクロスを形成するステップとを含む方法。
【請求項１４】
請求項１から１２のいずれかに記載のクリーニングクロスを、滑らかな表面の清浄に使用する方法。
【発明の詳細な説明】
【技術分野】
【０００１】
クリーニングクロスの繊維物理的性質は、それらを構成する繊維群及びフィラメント群の化学的及び繊維物理的性質により、制御可能である。
実際のところ、繊維群又はフィラメント群の原料は、例えば、その染色性、耐薬品性、熱成形性、汚れの保持能又は吸着能等に関し、所望の化学的又は物理的性質により、選択される。
繊維群又はフィラメント群の、引張応力特性及び応力−歪特性は、就中、その構成材料の特性に依存し、後者の特性は、断面形状、結晶化度及び／又は配向度の選択により、制御可能であり、それにより、個々の繊維群又はフィラメント群の、曲げ剛性、力吸収又は特定表面領域群に影響を与える。
坪量も、織物面状形成物を構成する、繊維群又はフィラメント群の全体的な繊維物理的性質を制御するために使用される。
【０００２】
クリーニングクロスが、しばしば互いに調和させ難い多数の要求を満足しなければならないため、多くの適用例が存在する。
例えば、マイクロファイバー不織布は、長寿命を有するだけでなく、良好な取扱性、特にそれを浸して絞って拭く際の良好な清浄効率、機械的摩耗に対する良好な耐性、及び／又は、ある程度の水編入性を提供するとされる。
【背景技術】
【０００３】
一枚のクリーニングクロス中に、種々の特性を組み合わせる１つの方法は、与法をなすべく様々なタイプの繊維を互いに組み合わせ、織地を（例えば、織物、編物、或いは、不織布として）製造することにある。
マイクロファイバーを、より太い繊維と組み合わせてなる、織物又は編物は、かくして、良好な耐久性と、少なくとも当初は十分な性能特性を示す。
しかしながら、これらの織地には、不織布の織地よりも生産が厄介であるという欠点がある。
加えて、特に、独立移動可能なニードル群を用いて横編みすることにより製造された織地群は、マイクロファイバーの保持力が不十分である。
（ＤＩＮ  ＥＮ  ＩＳＯ  １５５７９７に従う）約４００回の工業的洗濯サイクルの後、マイクロファイバー部分は、ほとんど全て除去されてしまうことが分かっている。
これは、取扱性、肌触り、清浄効率、及び／又は、水編入性等の、性能特性の大幅な悪化として、反映されることになる。
【０００４】
マイクロファイバーを備える不織布は、織物や編物よりも、大幅に、より簡単に生産される。
不織布は、何らかの方法でウエブ（繊維ウエブ）に組み立てられ、且つ、何らかの方法で互いに結束される、任意の型及び起源を有する、有限長の繊維群（短繊維群）、フィラメント群（連続長繊維群）又は切断糸群により、形成される構造物である。
マイクロファイバー不織布は、概ね、汚れの除去、及び、液体（特に水）の放出及び運搬において、優れた特性を有する。
しかしながら、現存するマイクロファイバー不織布には、約２００回の工業的洗濯サイクルの後、該不織布中に穴開きが起こる例により表されるように、（特に、頻繁な工業的洗濯サイクルに対して）耐久性が制限されているという欠点がある。例えば消毒剤を使用した日常の清掃業務で使用する場合、この２００回という洗濯サイクルは１年未満の寿命を意味する。
【０００５】
より太い繊維の割合を増加させると、その太さにより単繊維群／フィラメント群の化学的及び機械的な安定性が向上するから、不織布の耐久性が、理論上改善されるであろう。
しかしながら、これは、性能特性を犠牲にしている。
【０００６】
就中、毛管現象を起こす、より多数の隙間を形成することによる、改善された吸水性により、及び、単繊維の曲げ剛性が低減されることによる、より柔らかな手触りにより、細い繊維群の割合を増やすと、改善された性能特性が期待できる結果となる。
しかしながら、この種の面状構造体は、引裂強度、ピリング及び特に耐洗濯性（特に、煮沸による耐洗濯性）を従来の織物と比較すると、強度不足であることが分かっている。
特に、マイクロファイバーに属する性能特性は、時間の経過とともに著しく劣化する。
【０００７】
即ち、ＰＩＥ１６不織布（７０％ＰＥＴ  ０．２ｄｔｅｘ、３０％ＰＡ６  ０．１ｄｔｅｘ、分離及び水流交絡）は、ＤＩＮ  ＥＮ  ＩＳＯ  １５５７９７による、４００回の洗濯サイクルを行う、ストレス試験にかけられると、坪量が著しく低減してしまうことが分かっている。
更なる分析により、ＰＥＴ比があまり減少しなかったのに対し、ポリアミド比が元の３０重量％から１０重量％まで下落したことが示された。
この結果は、洗浄液等の塩基が、ポリアミドではなくＰＥＴを浸食すると知られている点において、驚くべきことであった。
本結果に対する可能な説明は、次のとおりである。即ち、微小繊維不織布中の比較的細かいポリアミド繊維群が、洗濯中の化学的及び機械的ストレス及びタンブル乾燥中の高い機械的摩擦に負けがちとなり、時間の経過と共に、破断した繊維群として運びされるというものである。
これは、ポリエステルに対する、繊維の太さの不足を原因とするものであり得る。
【０００８】
５００回の洗濯後における、ＰＡ６の割合減少は、次表に示される。
残余のポリアミド含有量は、ギ酸を用いて溶出することにより決定された。
各サンプル群は、ＰＡ６内の変化量が減少していることを示す。
【０００９】
表１：５００回の洗濯（６０℃）後における、元の３０重量％からのＰＡ６の割合低減
【００１０】
【表１】
0006692750.tif 000002
【００１１】
これら知見群は、次の点を示唆する。即ち、ＰＩＥ１６の与力価となるように、ＰＩＥ８からなる太い部分を２倍結合させると、機械的特性及び強度が改善され、且つ、ＰＩＥ３２由来の太い部分を半分追加的に加えると、（湿気管理と快適性などの）失われた特性を回復する結果となる。
【００１２】
一枚の面状形成物における、互いに真逆の特性群を組み合わせる、更なる方法は、２枚以上の面状形成物を組み合わせることにより複合形成物を形成することにある。
本目的のため、各面状形成物が、別々に形成され、そうして、ステッチ、接着、ラミネート等の、公知の接合技術により、互いと結合され得る。
力価勾配を有する多成分スパンボンドは、同様に公知である。
【００１３】
特許公報１（欧州特許第１６１９２８３Ａ１号公報）は、多成分スパンボンドを記述し、このものは、２以上ポリマー群であって、互いのインターフェイス群を形成し、単一又はそれ上の紡糸装置から吐出されるポリマー群からなる。該装置は、単一の紡糸ダイオリフィス群を有し、吐出された該ポリマー群は、流体力学的に減勢され、単一の層群又は多成分組立体として、面状をなすように堆積され、共同固化される。
【先行技術文献】
【特許文献】
【００１４】
【特許文献１】欧州特許第１６１９２８３Ａ１号公報
【特許文献２】仏国特許第２５４６５３６号公報
【発明の概要】
【発明が解決しようとする課題】
【００１５】
本発明により取組まれる課題は、公知マイクロファイバー不織布群を発展させることであり、更に該群が、良好な機械的特性を提供すること、特に、次のものを伴う良好な持続的洗濯適性を提供することである。即ち、良好な特性性能であって、良好な熱生理的な快適性、好ましい肌触り、好ましい外観性、良好な水管理性（好ましくは定率の吸収能及び水運搬性）、更に、良好な清浄効率を持つことである。
【課題を解決するための手段】
【００１６】
本発明は、第１繊維状成分及び第２繊維状成分が交互の層群の形態に配置されたマイクロファイバー複合不織布を含むクリーニングクロスを提供し、少なくとも１つの第１層Ａは、溶融紡糸複合フィラメント群の形態で堆積されてウエブを形成する第１繊維状成分を備え、該群の一部又は全部は、０．１ｄｔｅｘ未満（好ましくは０．０３ｄｔｅｘと０．０６ｄｔｅｘの間）の平均力価を有する要素フィラメント群に分離されると共に固化され、少なくとも１つの層Ｂが該第１層Ａ上に配置され、該層Ｂは、０．１から３ｄｔｅｘの平均力価を有する繊維群の形態で堆積されてウエブを形成すると共に固化される、第２繊維状成分を備え、少なくとも１つの第２層Ａは、該層Ｂ上に配置される。
【００１７】
本発明は、更にそのようなクリーニングクロスを形成する方法と、それにより得られた製品を使用する方法とを、提供する。
【００１８】
本発明のクリーニングクロスは、より粗い繊維と共働結合する極微細な微小繊維を備える。
クリーニングクロスの断面に関し、少なくともある割合を有する、２つの繊維状成分がその内部において、少なくともその領域内における、交互配置を形成する層群の形態で存在する。
【図面の簡単な説明】
【００１９】
【図１】得られたＰＩＥ３２分割二成分フィラメント群の構造を示す写真である。
【図２】不織布２番の表面組織を示す写真である。
【図３】不織布１番の表面組織を示す写真である。
【図４】不織布３番の表面組織を示す写真である。
【図５】５００回の洗濯サイクル後の発明に係る不織布７番の表面組織につき、発明に係らない、不織布１番（６５０回の洗濯サイクル後）及び不織布３番（８００回の洗濯サイクル後）と比較した写真である。
【図６】発明に係る不織布７番の断面を示す写真である。
【発明を実施するための形態】
【００２０】
本発明者らは、交互配置される、微細繊維群と粗い繊維群からなる層群を特別に結合すると、機械的特性及び耐久性が著しく改善されることを発見した。
しかして、本発明のクリーニングクロスは、特に、非常にストレスがかかる、工業的加熱洗濯サイクルにおいて、顕著なレベルの持続的洗濯適性を示すものである。
加えて、より粗い繊維の部分にもかかわらず、該不織布は、良好な熱生理的な快適性、好ましい肌触り、好ましい外観性、良好な水管理性及び良好な清浄効率等という、十分な性能特性をもたらす。
【００２１】
この結果は、驚くべきことである。なぜなら、より小さいフィラメント力価を有するフィラメント群を使用すると、改善された性能特性に結び付くと期待されるところ、右使用は、特に不織布の耐性を含んだ抵抗が低下する結果を招くからである。
【００２２】
どのような機構にも結び付けようとすることなく、本発明に係る不織布の、ピリング、摩耗及び洗濯適性に関する、良好な機械的強度は、その生産過程途中で微細フィラメント群が絡み合う高い程度により、生ずるものであると信じられている。右過程途中とは、例えば、ニードリング及び／又は水ジェットにより複合要素群を固化する途中など、分離及び／又は固化プロセスの途中等である。
【００２３】
本発明の好ましい実施の形態では、第１繊維状成分のフィラメント群が−層境界を横切るかのように到達し−少なくとも部分的に第２繊維状成分の繊維群と絡み合う（「触手効果」）。
この効果は、例えば、次の例により達成できる。即ち、第１、第２繊維状成分群の初期で未だ固化されず、単に予備固化されたウエブ群から、まず、ＡＢＡなる層組立体又は（例えば、ＡＢＡＢＡなる層組立体等の）他のより大きな層組立体を形成し、そうして、層組立体の全体に対して、分離及び／又は固化ステップを実行するものである。
【００２４】
この手順では、第１繊維状成分の分離時に得られる、微細繊維群は、Ｚ方向（つまり、不織布の断面方向）に分布することになる。
この分布は、２つ以上の層群を備え、個々の層群は、特に強く相互にボンディングされることになる。
実用的試験により、要素フィラメント群が他の層へ運び込まれる程度は、該群の繊度につれて増加することが示された。
【００２５】
本発明によれば、第１繊維状成分は、堆積されてウエブを形成する溶融紡糸複合フィラメント群を含む。
ここで、「フィラメント群」なる用語は、短繊維群と対比して、理論上無限の長さを持つ繊維群の意として理解されねばならない。
複合フィラメント群は、２つ以上の要素フィラメント群から成り、例えば、ウォータージェットニードリングのような、分離の常法を用いて、要素フィラメント群へ分離され、そうして固化され得る。
本発明における第１繊維状成分の複合フィラメント群は、少なくとも部分的に要素フィラメント群へ分離される。
ここで、分離の度合は、８０％超とすると有利であり、好ましくは９０％超、最も好ましくは１００％である。
【００２６】
適切で安定的な効果を達成するため、第１繊維状成分の要素フィラメント群の割合は、全重量を基礎とし、且つ全ての複合層にわたる累積値として、２０重量％以上であると有利である。
実用的試験により、不織布の全重量を基礎として、これらの要素フィラメント群の割合が２０重量％から６０重量％、特に３０重量％から５０重量％の範囲内にあるとき、優れた性能特性を伴う、特に高い洗濯堅牢性が得られることが示された。
【００２７】
不織布の個別の層群に関し、有利とするには、層Ａの全重量を基礎として、特定の層Ａにおける第１繊維状成分の要素フィラメント群の割合は、例えば、外側層Ａ又は内側層Ａ中において、８０重量％から１００重量％、好ましくは、９０重量％から１００重量％、更に好ましくは、１００重量％の範囲である。
【００２８】
持続的使用特性（ピリング、摩耗及び洗濯適性）のために、不織布の少なくとも１つの外側層ではなく、有利とするには、不織布の両方の外側層が層群Ａにより形成されるものである。
【００２９】
原則として、特定の層Ａは、第１繊維状成分に加え、おそらく、より更なる繊維群を備えることになる。
しかしながら、少なくとも外側層Ａが、第１繊維状成分の要素フィラメント群のみからなるとき、特に良好な性能特性が得られる。
【００３０】
要素フィラメント群を生産する出発原料としての複合フィラメント群を使用すると、次の点で有利である。即ち、複合フィラメント群中に存在する要素フィラメント群の個数を変えることにより、それにより生産される要素フィラメント群の力価が簡単に確立されるからである。
ここで、複合フィラメント群の力価は一定のままであり得るものであり、この点は、技術的な長所となる。
【００３１】
複合フィラメント群を使用すると、更に次の点でも有利となる。即ち、複合フィラメント群の分離度合を変更すると、追加的に、不織布中における、より太いフィラメント群とより細いフィラメント群との比を制御する、容易な方法を提供することになるからである。
【００３２】
実用的試験により、第１繊維状成分の要素フィラメント群の平均力価が、０．０１−０．１ｄｔｅｘの間、特に、０．０３ｄｔｅｘから０．０６ｄｔｅｘまでの範囲にあるとき、良好な性能特性を伴って、特に高い洗濯堅牢性を有する不織布が得られることが示された。
例えば、０．０２から６．４ｄｔｅｘ、好ましくは、０．０６から３．８ｄｔｅｘの力価を有する要素フィラメント群を分離することにより、当該力価を有する複合フィラメント群を得ることができる。
【００３３】
これら要素フィラメント群の断面は、ｎ角を成す円弧セグメント又は多葉状であり得る。
【００３４】
本発明のマイクロファイバー複合不織布には、好ましくは、セグメント群が、様々で、入れ替わり、非互換性の、ポリマー群を含み得る、オレンジ型くさび構造又はＰＩＥ多セグメント構造の断面を有する、複合フィラメント群からなるものである。
同様に、非対称の軸方向キャビティをも有し得る、中空ＰＩＥ構造群が好適である。
ＰＩＥ構造群、特に中空ＰＩＥ構造群は、非常に容易に分離するものである。
【００３５】
第１繊維状成分に関し、オレンジ型くさび配置、及び／又は、ＰＩＥ（より正確には、ＰＩＥスライス）配置は、有利とするには、２、４、８、１６、２４、３２又は６４セグメント群、更に好ましくは、１６、２４又は３２セグメント群を含むものである。
【００３６】
不織布中の第１繊維状成分の割合は、不織布の全重量を基礎として、好ましくは４０重量％以上、より好ましくは４０重量％から６０重量％まで、最も好ましくは４５重量％から５５重量％までの範囲内にある。
【００３７】
容易な分離性を得るためには、複合フィラメント群が、２つ以上の熱可塑性ポリマー群を備える繊維群からなることが有利である。
複合フィラメント群は、好ましくは２つ以上の非互換性ポリマー群からなる。
非互換性ポリマー群は、結合して、全く接着していないか、わずかに又は不十分に接着している、ペアリングを作り出す、ポリマー群である。
このタイプの複合フィラメント群は、要素フィラメント群へ容易に分離可能であり、坪量に対する、好ましい強度比を生じさせる。
【００３８】
非互換性ポリマー群として、全く接着していないか、わずかに又は不十分に接着している、ペアリングを作り出すことが伴われるように、ポリオレフィン、ポリエステル、ポリアミド及び／又はポリウレタンを使用することは好ましい。
【００３９】
使用されるポリマー対は、少なくとも１つのポリオレフィン、及び／又は、少なくとも１つのポリアミドを特徴とするポリマー対から、より好ましく選択される。そして、好ましくは、ポリエチレン（例えば、ポリプロピレン／ポリエチレン、ナイロン−６／ポリエチレン又はポリエチレンテレフタレート／ポリエチレン）を特徴とするか、ポリプロピレン（例えば、ポリプロピレン／ポリエチレン、ナイロン−６／ポリプロピレン又はポリエチレンテレフタレート／ポリプロピレン）を特徴とする。
【００４０】
特に、少なくとも１つのポリエステル及び／又は少なくとも１つのポリアミドを特徴とする、ポリマー群の組合せは、非常に好適である。
【００４１】
少なくともポリアミドを特徴とするか、少なくともポリエチレンテレフタレートを特徴とする、ポリマー群の組合せは、それらの制限された接着性のために好ましく、また、少なくともポリオレフィンを特徴とするポリマー群の組合せは、それらの不十分な接着性のために、特に好ましく使用される。
【００４２】
特に好ましい成分として、一方で、ポリエステル、好ましくは、ポリエチレンテレフタレート、ポリ乳酸及び／又はポリブチレンテレフタレート、他方で、ポリアミド、好ましくは、ナイロン−６、ナイロン−６、６、ナイロン−４、６は、必要に応じて１つ又はそれ以上の更なるポリマー群であって、好ましくはポリオレフィンから選択された、前記成分群と互換性がないものと結合すると、特に有利となることが分かっている。
この結合は、顕著な分離性を示すものである。
ポリエチレンテレフタレート及びナイロン６、又は、ポリエチレンテレフタレート及びナイロン６、６の組合せは、特別に好ましい。
【００４３】
不織布中の第２繊維状成分の割合は、全ての不織布の全重量を基礎として、好ましくは３０重量％以上、好ましくは４０重量％から６０重量％まで、特に４５重量％から５５重量％までの範囲内にある。
【００４４】
特定の層群Ｂは、第２繊維状成分に加え、おそらく、より更なる繊維群を備えても良い。
実際有利なことに、特定の層群Ｂは、第２繊維状成分と同様に第１繊維状成分の繊維群を備える。
例えば、固化及び／又は分離の途中において、第１繊維状成分からなる、これらの繊維群は、層群Ａから層Ｂへ取り込まれても良い。
こうすると、層群間において絡み合う度合が向上し、しかして、強度のレベルも向上することになる。
【００４５】
繊維群が０．１〜３ｄｔｅｘの力価を有するなら、第２繊維状成分の繊維群の性質は、原理的に重要ではない。
かくして、第２繊維状成分の繊維群は、フィラメント群、短繊維群、より糸群、及び／又は糸群からなる群から選択され得る。
フィラメント群と対比すると、理論上無限の長さを有する、短繊維は、好ましくは２０ｍｍから６０ｍｍまでの範囲内の、有限の長さを有する繊維群である。
【００４６】
第２繊維状成分の繊維群は、非常に広範囲の材料から成り得る。
特に、第１繊維状成分に関し既に上述したプラスチック、或いは、これらの特有のプラスチックからなるポリマー群だけでなく、自然素材からなるものもまた好適である。
【００４７】
第２繊維状成分の繊維群の選択は、不織布が使用されるべき特別の部門に従って、有利となるように成されるものである。
フィラメント群は、多くの適用例に適することが分かっている。
フィラメント群は、単成分のフィラメント群、及び／又は、複合フィラメント群として存在しても良い。
【００４８】
好ましくは、第２繊維状成分の繊維群は、第１繊維状成分の繊維群のように、少なくとも部分的には、複合フィラメント群として存在し、少なくとも部分的には、要素フィラメント群へ分離されるものである。
この場合、これら要素フィラメント群の少なくとも一部は、０．１から３ｄｔｅｘの力価を有する。
全ての要素フィラメント群がこの力価を有することは、格別に望ましい。
この種の要素フィラメント群は、０．２から２４ｄｔｅｘの力価を有する複合フィラメント群を分離することにより、得ることができる。
【００４９】
ここで、複合フィラメント群を使用すると、次の点でも有利となる。即ち、該複合フィラメント群内に存在する要素フィラメント群の個数を変更することにより、個々の要素フィラメント群の力価を容易に確立できるからである。
加えて、分離の度合を変更すると、不織布中における、より太い繊維群とより細い繊維群の比を制御する方法が得られる。
実用的試験により、複合フィラメント群の分離の度合を、少なくとも６０％以上に、より好ましくは、少なくとも７０％以上に、更に好ましくは、８０％から１００％となすと、特に良好なピリング特性が得られることが示された。
【００５０】
本実施の形態における、更なる利点は、次のとおりである。即ち、例えば、ウォータージェット固化により、２つの複合フィラメント群の成分群を共に分離することにより、不織布の固化が、好ましく行えるのである。
該分離操作により形成される要素フィラメント群は、この手順において、特に集中的に、層境界を横切って、絡み合うものであり、それ故、得られる複合不織布は、特に丈夫である。
【００５１】
複合フィラメントの型及び構造は、第１繊維状成分について上述したものに相当し得る。
第２繊維状成分の複合フィラメント群は、２、４、８、１６の要素フィラメント群からなる選択と一致し、特に、４あるいは８の要素フィラメント群の特定的選択に一致する。
【００５２】
あるいは、第２繊維状成分の繊維群は、単成分の繊維群、及び／又は、単成分の繊維群と複合フィラメント群との混合物であっても良い。
【００５３】
第１繊維状成分の繊維群の平均力価が、第２繊維状成分の繊維群の平均力価を、明確に下回ると、本発明の目的のためには、好ましい。
しかしながら、実用的試験により、高強度及び良好な性能特性を確立するため、第２繊維状成分の繊維群が、第１繊維状成分の繊維群のための平均力価の、３０倍以下の、好ましくは、１０倍以下の、平均力価を有すると有利となることが示された。
【００５４】
第１繊維状成分の繊維群の平均フィラメント力価（平均繊維度）に対する、第２繊維状成分の繊維群の平均フィラメント力価（平均繊維度）の比は、６から１６までの範囲、好ましくは、８から１２までの範囲内に有ると、特に有利であることが分かっている。
かかる比を有する不織布は、特に層間剥離に抵抗性を有することが判明している。
【００５５】
上に既述したように、大きい繊維力価を有する繊維群とより小さい繊維力価群を有する繊維群とからなる層群を、交互に配置することは、本発明に係る不織布の必須の特徴である。
特に好ましい配置では、高い力価を持つ繊維層群は、低い力価を持つ繊維層群からのフィラメント群（「触手効果」）により、少なくとも部分的に、互いに貫通し合うことになる。
これにより、（互いに絡み合う度合が低くそれ故安定性が低い）内部の粗い繊維群を、（それ自体同士で及び粗い繊維群とも絡み合う度合が高くそのため良好な安定性を有する）外部の微細な繊維群から最大限保護することが可能となる。
同時に、外部の微細繊維群−もともと機械的強度及び剛性が低く、そのため毛玉（機械的ストレスにより、繊維群は、集団から容易に分離される）になる傾向が強い−は、不織布を構成する全面的集団から、より離脱し難くなる。
この点は、上述の「触手効果」により、更に特別に行われ得るものであり、該効果は、それらを、高い力価を有する繊維群を備える、隣接層群内へより良く結び付ける役割を果たす。
【００５６】
この背景に対し、不織布の表面の少なくとも一部が、０．１未満ｄｔｅｘの力価を有する要素フィラメント群により形成されると、有利である。
そうして、不織布の表面群の少なくとも一方（望ましくは、両方）が、０．１未満ｄｔｅｘの力価を有する要素フィラメント群により、少なくとも５０％（好ましくは、６０-１００％）により形成されると、有利である。
例えば、走査型電子顕微鏡写真を用いれば、表面生地構成は確認可能である。
【００５７】
不織布の外部に微細繊維群を設けると、次の利点が得られる。即ち、フィラメント群の内部繊維の種類の如何を問わず、特に、第２繊維状成分の粗い繊維群が機械的に安定化するものである。
同時に、不織布の表面は、有利な性能特性を有し、さらに、有利な外観性及び手ざわりを有する。
【００５８】
本発明の複合不織布内における、粗い繊維群と細い繊維群との交互配置を形成すべく、例えば、第１繊維状成分の繊維群を備える層群と、第２繊維状成分の繊維群を備える層群とを、分離して形成し、所望の配置により、互いに結合させても良い。
個々の層群が必要に応じてプロセス中に固化される場合における、（例えば、ステッチング法、接合法、積層法、及び／又は、機械的ニードリング法等の）公知の結合法を用いて、かかる層群は、結合され得る。
層群を結合する特に単純な方法は、不織布中の複合フィラメント群が水流交絡処理されるステップの一部として行うことである。
ここで、層群は、結合前に分離して予備固化されていても良い。
【００５９】
第１繊維状成分のみならず第２繊維状成分の繊維群は、好ましくは、少なくとも部分的に要素フィラメント群内へ分離される、複合フィラメント群である。
この場合、不織布は、２つの複合フィラメント群成分群を共同して分離することにより、好ましく固化される。
これは、まず、第１、第２繊維状成分からなるウエブ群より、層組立体を形成し、次に、例えばウォータージェットを用いて、固化を生じさせることにより、行い得る。
分離操作中に形成される要素フィラメント群は、この手順において、特に集中的に、層境界を横切って、絡み合うものであり、それ故、得られる複合不織布は、特に丈夫である。
【００６０】
高い絡み合いの度合を得るため、特に第１繊維状成分における、分離の度合をできるだけ高くすることが有利である。
この背景に対し、層群内における、第１又は第２繊維状成分の各要素フィラメント群の割合は、８０重量％を超えること、より好ましくは８５−１００重量％であると、有利である。
【００６１】
本発明の特に好ましい実施の形態では、全ての層群Ａは、少なくとも部分的に分離したＰＩＥ２４フィラメント群、ＰＩＥ３２フィラメント群及び／又はＰＩＥ６４フィラメント群を備える。
さらに、全ての層群Ｂが、少なくとも部分的に分離したＰＩＥ８フィラメント群又はＰＩＥ４フィラメント群を備えることが考え得る。
１つ以上の層群ＢがＰＩＥ８フィラメント群を備え、他の層群ＢがＰＩＥ１６フィラメント群及び／又はＰＩＥ４フィラメント群を備える、配置を有することは、同様に考え得る。
【００６２】
既に上述したように、次のような層群配置を取ることは、特に有益であることが分かっている。即ち、第２繊維状成分の繊維群を備える層群Ｂが、不織布の内部にあり、同時に、第１繊維状成分の繊維群を備える層群Ａが、少なくとも不織布の表面に配置されると有益である。
この配置では、微細繊維群を備える外側層群は、その微細な力価及びその結果もたらされる機械的感度にもかかわらず、驚くべきことに、上記したように、内側層群に対し効果的保護を提供することが可能である。しかして、層群からなる特に安定した構造を形成し、良好な持続的使用特性をもたらす結果となる。
【００６３】
この効果は、おそらく、固化工程中において、分離時に得られる微細繊維群がＺ方向（即ち、不織布の断面方向）に分布する様になることに起因する。
この配置は、２つ以上の層群を備え、個々の層群を特に集中的に相互接続する結果をもたらす。
実用的試験により、要素フィラメント群が隣接する層群へ転送される度合が、該群の繊度につれて増加することが示された。
【００６４】
本発明の不織布は、第１繊維状成分からなる繊維群を備える２つ又はそれ以上の層群Ａと、第２繊維状成分からなる繊維群を備える１つ又はそれ以上の層Ｂとを備える。
この結果、ＡＢＡなる、交互基底層シーケンスが形成される。
既に上述したように、階層状集団の内部へ層Ｂを結合すると、優れて長期の安定性を有する複合不織布が提供される。
不織布の外側側面群が層群Ａにより形成される結果、不織布は、非常に良好な性能特性を有する。
【００６５】
本発明のＡＢＡ基底層シーケンスは、さらに層群Ａ及び層Ｂを交互にすることを含むべく、拡張されても良い。
しかして、本発明の一層の好ましい実施の形態は、ｎ＝１〜２０、好ましくはｎ＝５〜１５、特にｎ＝８〜１２であるところ、Ａ（ＢＡ）nＢＡなる層シーケンスを備える。
しかして、層シーケンスの例は、ＡＢＡＢＡＢＡ、ＡＢＡＢＡＢＡＢＡなどである。
この接続では、１つ又はそれ以上の層群Ａが、２つ又はそれ以上のサブ層Ａ’を備え、及び／又は、１つ又はそれ以上の層群Ｂが２つ又はそれ以上のサブ層Ｂ’を備えるものと、考えられる。
各サブ層群中の繊維群は、同じ力価を有しても良いし、あるいは異なるものを有しても良い。
１５の紡糸位置群を特徴とする、紡糸プラントは、かくして、例えば、次の配置による、サブ層群Ａ’及びＢ’を有するものと考えられる。即ち、Ａ’Ａ’Ｂ’Ｂ’Ｂ’Ａ’Ｂ’Ｂ’Ｂ’Ａ’Ｂ’Ｂ’Ｂ’Ａ’Ａであり、但し、断面を後ろから見ると、Ａ（ＢＡ）2ＢＡとなる。
【００６６】
本発明の好ましい実施の形態では、層シーケンス群の外側層群は、層群Ａにより形成される。
更に有利とするために、層シーケンス群は、層群Ａ及び層Ｂからなる、交互配置となることに注目されたい。
しかしながら、上説したように、層シーケンスが、さらなる層群、Ａ及びＢでない層群を含むことが、同様に考えられる。
【００６７】
層群Ａ及びＢからなる、及びマイクロファイバー複合不織布の中の更なる任意の層群からなる、層シーケンスをうまく設計し、対称的な階層構造を得ることが、有利であることが同様に分かっている。
この配置は、特に一様で、側面対称的な特性を提供できるという、長所を有する。
【００６８】
本発明の好ましい実施の形態では、全ての層群Ａ及び／又はＢは、各々、同じ繊維力価を有する繊維群を含む。
不織布を形成する特に単純な方法が提供されるため、当該実施の形態は有利である。
他の好ましい形態では、しかしながら、種々の層群Ａ（及び／又はＢ）及び／又はサブ層群Ａ’（及び／又はＢ’）は、異なる繊維力価を有する繊維群を含む。
この場合の長所は、非常に正確で、側方に特徴がある態様で、不織布の特性を確立できるという点である。
【００６９】
本発明に係る複合不織布は、更なる層群を含んでも良い。
この点に関し、更なる層群が、例えば、スクリムの形態をなす補強層群として構成されること、及び／又は、該群が、非捲縮織物、独立移動可能なニードル群を用いた横編みにより生産されたものでない編物、織物、不織布、及び／又は、補強繊維群を備えること等が、考え得る。
例えばポリエステル等のプラスチック、及び／又は、金属は、更なる層群を形成する好ましい材料である。
原理的におそらく、更なる層群が不織布の外側層群を形成しても良い。
しかしながら、有利とするには、更なる層群は、（おそらく追加的に）層群Ａ、Ｂの間で、不織布の内部に配置される。
【００７０】
複合不織布のフィラメント群を形成すべく使用されるポリマー群は、１０重量％に１５０ｐｐｍなる量の、着色顔料、帯電防止剤、（例えば、銅、銀、金等の）抗生物質、親水性又は疎水性添加物からなる群から、１つ又はそれ以上選択される添加物を含んでも良い。
使用されるポリマー群へ、記載された添加物を使用すると、顧客固有の要求へ適合可能となる。
【００７１】
本発明に係る複合不織布の坪量は、意図された使用目的に従って確立される。
多くの適用例に有利であると分かっている坪量は、ＤＩＮ  ＥＮ  ２９０７３により、１０〜５００ｇ／ｍ2まで、好ましくは２０〜３００ｇ／ｍ2、特に、３０〜２５０ｇ／ｍ2の範囲で測定されるものである。
【００７２】
上説したように、本発明のマイクロファイバー複合不織布には、顕著な機械的特性がある。
従って、本発明の好ましい実施の形態によるマイクロファイバー複合不織布は、実質的な耐久性により特徴付けられる。
例えば、本発明の典型的な不織布は、ＤＩＮ  ＥＮ  ＩＳＯ１５５７９７による８５０回の工業的洗濯サイクル後でさえ、穴開きとは無縁であることが決定された。
【００７３】
マイクロファイバー複合不織布は、ＤＩＮ  ＥＮ  ＩＳＯ１５５７９７による単純引裂強度により、更に有利に特徴付けられる。
【００７４】
本発明のマイクロファイバー複合不織布は、更に、湿気管理が容易に調整可能である点に注目されたい。
本発明のマイクロファイバー複合不織布は、当業者に公知の要領で得ることができる。
特に簡単だと分かっている方法は、第１繊維状成分からなるフィラメント群を備える少なくとも１つの第１繊維層と、第２繊維状成分からなるフィラメント群を備える少なくとも１つの第２繊維層とを、形成し且つ結合するというものである。
【００７５】
本発明の複合不織布を形成する方法は、次の通り実行されると有利である、即ちまず、個々の繊維層群を別々に紡ぎ、堆積させてウエブを形成し、必要に応じて例えばニードリングにより、予備固化する。
繊維層群は、その後、互いに結合される。
【００７６】
特に、上述されたように、複合不織布の内部に有利に配置される層群Ｂについて、予備固化処理は、これが、第２繊維状成分の繊維群が複合不織布の表面を通過するのを防止するために使用され得るから、有利であることが理解されよう。
【００７７】
個々の層群を結合させるのは、（例えば、ステッチング法、接合法、積層法、カレンダー加工、及び／又は、ニードリング法等の）公知の結合法を用いて成されれば良い。
【００７８】
しかしながら、生産後に、第１繊維状成分の繊維群を備える層群と、第２繊維状成分の繊維群を備える層群とが、互いの上に交互に配置され、そうして例えば、機械的固化、及び／又は、水流交絡処理により、直接固化されると同時に互いに結合されることが特に好ましい。
【００７９】
水流交絡処理することにより、複合不織布は外側から内側へ固化されることができ、粗い内部のフィラメント群と必要に応じて内部において分離されると共に、相互に絡み合うことになる。
この手順は、低いフィラメント力価の繊維群を特に効果的に使用することに役立つ。なぜなら、微細繊維群は、不織布内へ非常に深く運び込まれ、そこでは、明らかに、それらの絡み合いのために、複合物が特に効果的に安定することになるからである（「触手効果」）。
【００８０】
繊維層の固化及び分離は、必要に応じて予備固化された不織布が、高圧流体ジェット（好ましくは、高圧水ジェット）を用いて、少なくとも一度両側に衝突することにより、有利に成し遂げられる。
これにより、本発明の複合不織布は、織物表面の外観性を獲得し、複合フィラメント群の分離の度合は、８０％超に確立され得る。
【００８１】
また、第１、第２繊維状成分の繊維群は、単一の紡糸工程、及び／又は、堆積される工程から生ずることも考えられ、かくして、同時に生産されると共に、共同して堆積されるものである。
この目的のため、２つ以上の紡糸部群であって、それぞれが紡糸ダイオリフィスを有し、それにより、異なる個数の要素フィラメント群を用いて複合フィラメント群を生産するか、又は、単一の共同紡糸引抜装置中における、単成分フィラメント群を用いて複合フィラメント群の混合物を生産する、紡糸部群が存在し得る。
これら繊維群は、後に、堆積されて本発明の複合不織布を形成し、固化され、水流交絡処理により、要素フィラメント群へ分離され得るものである。
【００８２】
これにより次の利点が提供される。即ち、異なるフィラメント力価を有するスパンボンド不織布の生産が、別々に実行される必要はないし、異なるフィラメント力価を有する異なる繊維群から成る、多成分スパンボンドを得るための、追加的な単一化は不要である。
【００８３】
本発明の好ましい実施の形態は、３以上、好ましく５以上の、列からなるスピンヘッド群を提供する。該ヘッド群のそれぞれは、単一の紡糸ダイオリフィス群を有し、異なる要素フィラメント群の個数の複合フィラメント群を生産するか、又は、単一の共同紡糸引抜装置中における、単成分フィラメント群を用いて、複合フィラメント群の混合物を生産する。
またあるいは、１つ又はそれ以上の、相応して異なる紡糸ダイオリフィス群を、単一の紡糸ダイパック（カーテン紡糸）中に存在させることもできるし、また、多数の個々紡糸ダイパック群を、単一の所謂「横堆積（traversierenden Ablage vorliegen）」中に存在させることもできる。
【００８４】
これらは、堆積されてウエブを形成し、かつさらに、水流交絡処理により、固化され、要素フィラメント群へと分離されても良い。
機械的又は熱的の、予備固化法は、水流交絡固化に先行しても良い。
本実施の形態は、異なるフィラメント力価を有する層群からなる、複合不織布を提供するところ、それによれば、別々に製造された層群を結合することだけでしか得られない繊維物理学的特性群を、もともとあるものとして結合できるものである。
【００８５】
有利なことには、本発明の方法は、さらに次のように開発されている。即ち、複合層群がＡＢＡ又はＡ（ＢＡ）nＢＡという配置となる、上記層状構造体群を得られるように、堆積ベルトに関する該紡糸部群の順序が、選択される。
【００８６】
本発明の好ましい実施の形態では、堆積ベルトに関する、該紡糸部群の順序は、複合不織布の厚みを横切ると、フィラメント群の力価が交互となるように選択される。
【００８７】
上記したように、要素フィラメント群を容易に分割するために、複合フィラメント群は、中央部に（特に、管状の細長い空洞の形態をなす）開口部を有し、該開口部は、複合フィラメント群の中点軸について、中心に置かれ得る。
この配置により、要素フィラメント群の分離前において、くさび群、及び／又は、円形切欠群と内角群をなして形成される、要素フィラメント群間の密着を低減／回避することができ、また、同じポリマー材料からなる様々な要素フィラメント群が、この領域内で接触することを、低減／回避できる。
【００８８】
複合不織布をさらに固化するため、複合フィラメント群は、その長手方向中点軸に関する、要素フィラメント群の非対称構造に起因する、潜在的な、又は、自生の捲縮を有しても良く、該捲縮は、複合フィラメント群の断面のための非対称で、幾何学的デザインにより、必要に応じて、活性化されたり、又は、補強されたりしても良い。
これにより、不織布に、大きな厚さ、低い引張応力、及び／又は、多軸的な弾性を付与できる。
【００８９】
一変形例では、複合フィラメント群は、要素フィラメント群を形成するポリマー材料の物理的特性群に帰着され得る、潜在的な、又は、自生の捲縮を有しても良い。該要素フィラメント群は、複合フィラメント群の、紡糸、冷却、及び／又は、伸張処理において、複合フィラメント群の長手方向中点軸に関する、内部非対称ストレスに起因して「より」を引き起こすように、識別され、同時に、前記捲縮は、複合フィラメント群の断面を、非対称かつ幾何学的にデザインすることによって、必要に応じて、活性化されたり、又は、補強されたりしても良い。
【００９０】
複合フィラメント群は、複合不織布を形成する前に、熱的、機械的、又は、化学的な処理により活性化される、潜在的な捲縮を有しても良い。
【００９１】
捲縮は、不織布を固化する前に、追加的処理によって、例えば、熱的に、又は、化学的に、補強されても良い。
好ましくは、本発明のウエブは、高圧流体ジェットを用いる処理により固化される。
圧倒的多数が材料平面へ直角をなして作動する機械的手段（ニードリング、液体加圧ジェット）を用いて、複合フィラメント群を分離する間中、又はその後において、要素フィラメント群は、かくして実質的にもつれ得る。
【００９２】
フィラメント群（特に複合フィラメント群）は、例えば、機械的に、及び／又は、空気により、たわみつつ−無端走行トラック上に射出され、ニードリングにより機械的に、又は、固体（マイクロ）粒子群を含ませ得る液体加圧ジェットの作用により−堆積されても良く、その場合、２つ又はそれ以上のたわみモード群が組合され得る。
複合フィラメント群をもつれさせ、且つ要素フィラメント群へ分割する工程は、全く同一の装置を使用して全く同一のステップで行われ得る。その場合、要素フィラメントの、およその完全分離が、より一層前記分離に向けられた追加操作を伴って、終了可能である。
【００９３】
複合不織布の強度及び機械的な丈夫さは、要素フィラメント群が、１本又はそれ以上、熱融合により互いに結合されるようにすることにより、さらに明確に増加され得る。該熱融合は、好ましくは、加熱され、なめらかな又は溝付きの、ロール群を用いた熱カレンダー加工により、熱風トンネル型オーブン内を通過させることにより、ドラムを通る熱風上を通過することにより、及び／又は、粉末状をなすか、又は、分散液又は溶液からの、バインダーを適用することによる。
【００９４】
一変形例では、ウエブの固化は、同様に、例えば、単一の複合フィラメント群が要素フィラメント群へ何ら分離されないうちに、加熱カレンダー加工により行っても良い。その場合、分離は、ウエブ固化後に行われる。
【００９５】
ウエブ織物は、（例えば、一般に特許文献２：仏国特許第２５４６５３６号公報に既述されるような）化学的処理により固化されて良く、又は、おそらく分離後に、要素フィラメント群の少なくとも一部が制限的に収縮することになる、熱的処理によっても良い。
こうすると、幅方向、及び／又は、長さ方向に材料が収縮する結果となる。
【００９６】
固化後の複合不織布は、さらに、化学的な、結合／仕上げ操作−例えば、抗ピリング処理、親水性化又は疎水性化、帯電防止処理、耐炎性を改善する、及び／又は、蝕感性又は光沢を変更する処理、（起毛、防縮加工、サンディング、タンブラ内の処理等の）機械的タイプの処理、及び／又は、染色又は印刷などの外観性を変更する処理等−にかけられても良い。
【００９７】
実用的試験により、ウエブが、１６０〜２２０℃、好ましくは１８０〜２００℃の温度で、及び／又は、２０〜８０Ｎ／ｍｍの線圧力で、カレンダー加工されることにより、熱及び／又は圧力の適用を受けて予備固化されると、特に均質な構造を有する複合不織布が得られることが示された。
【００９８】
有利とするには、本発明の複合不織布は、さらに、カレンダー加工の中断を要し、それにより、耐摩耗性が増加する。
この目的のため、分離・固化された複合不織布は、加熱ロール群内へ導かれ、そこには、繊維群同士の混合を中断することになる高所群を持つ、少なくとも１つのロールが存在する。
本発明の好ましい実施の形態では、複合フィラメント群は、スピン染色法により染色される。
【００９９】
その卓越した洗濯堅牢度および良好な水吸上能（吸収能力）のため、本発明のクリーニングクロスは、様々な表面の清浄に顕著に適するものである。滑らかな表面では、特に良好な結果が得られる。
【０１００】
しかして、本発明の不織布は、改善された持続性を備える製品を構成するものである。
【０１０１】
本発明は、以下、いくつかの例群に関し、より詳細に既述される。
【０１０２】
例１〜１２：種々の不織布を製造する。
坪量（ＢＷ）が約２２ｇ／ｍ2及び４３ｇ／ｍ2である、ＰＩＥ８、１６、３２層群は、次の組成による:
【０１０３】
【表２】
0006692750.tif 000003
【０１０４】
不織布群６番、７番、８番及び９番は、本発明に係る複合不織布であり、不織布群１番、２番、３番、４番、５番、１０番、１１番及び１２番は、対比不織布群である。
【０１０５】
不織布群を生産するため、第１ステップにて、不織布の層群はＰＩＥ１６、ＰＩＥ８及びＰＩＥ３２の分割二成分フィラメント群から生産される。
【０１０６】
二成分スパンボンド領域中のＰＩＥ３２生産は、以下、例として記述される。
次の原料が使用される:
0006692750.tif 000004
【０１０７】
押出成形機： 
PET, ゾーン 1-7: 270-295°C
PA6, ゾーン 1-7: 260-275°C
【０１０８】
紡糸ポンプ：
0006692750.tif 000005
【０１０９】
ダイ群：
タイプ、ＰＩＥ３２
空気引抜：
【０１１０】
堆積法：堆積ベルト上において、２２及び／又は４３ｇ／ｍ2のウエブ坪量の結果となる設定速度による。
カレンダー加工、滑らかな鋼ロールによる、予備固化：
【０１１１】
得られたＰＩＥ３２分割二成分フィラメント群の構造は、図１に示される。
【０１１２】
複合ウエブ群を生産するため、層群は、所望の順序で、互いの上に配置される。
個々層群は、その後、ウォータージェット固化により、分離され、もつれ合い、マルチフィラメント成分の不織布となる。
【０１１３】
（約１３０ｇ／ｍ2の）同じ目標重量が全ての合成種に予見されるので、５×２２ｇ／ｍ2又は３×４３ｇ／ｍ2であるか、ＰＩＥ８、１６又は３２であるかどうかに関係なく、固定実験プロトコルが、全種のウォータージェットによる、もつれ現象のために選ばれる。
【０１１４】
ウォータージェット条件は、次の通りセットされる:
0006692750.tif 000006
【０１１５】
乾燥条件は、次の通りセットされる:
【０１１６】
１回の乾燥運転は、長さ約４ｍ、気温１９０℃、ベルト速度１２ｍ／ｍｉｎのエアドライヤーの中を通して行なわれる。
【０１１７】
ウォータージェット固化を行うと、それに伴い、二成分フィラメント群は、ほとんど完全にそれぞれの要素フィラメント群へ分離される。
同時に、外側層群の微細なＰＩＥ３２要素フィラメント群は、不織布内に深く運び込まれ、互いにだけでなく、より厚いＰＩＥ８、ＰＩＥ１６要素フィラメント群とも絡み合い（触手効果）、それにより、本発明に係る複合不織布群６番、７番、８番、９番の部分の耐久性は、驚くほど高くなる。
加えて、極微細なＰＩＥ３２要素フィラメント群の外側層のため、本発明の不織布は、良好な熱生理的快適さ、好ましい肌ざわり及び好ましい外観性などの、顕著な性能特性を示すものである。
より厚い繊維の内部層群のため、本発明の複合不織布は、顕著な水吸上能及び引裂強さを、さらに提供するものである。
【０１１８】
例１３:各種パラメータに関し不織布を試験する。
【０１１９】
その試験は、次の標準に基づく:
0006692750.tif 000007
【０１２０】
試験の結果は、次の表中に示される:
繊維物理的評価
【０１２１】
【表３】
0006692750.tif 000008
【０１２２】
（表３）中の結果を分析すると、まず、全体的か、又は外側にＰＩＥ３２からなるものは、特に高い洗濯堅牢性を得ている点が、分かる。
微細繊維が良好な機械的強度を示すとは予想不能であるから、これは驚くべきことである。
しかしながら、とりわけ、それらの引裂強さが低すぎるので、全てＰＩＥ３２から成る布は、単に制限される有用性を有するに過ぎない。
対照的に、本発明の複合不織布は、十分な引裂強度及び極限引張強さを有するのみならず、良好な洗濯堅牢性を有する点が明記されるべきである。
表は、驚いたことに、対比試験片の耐摩耗性が、力価が減少するのにつれて、不釣り合いに増加することをさらに示す。
【０１２３】
例１４:不織布の清浄特性を試験する。
【０１２４】
不織布は、水吸上能及び水放出に関して試験された。
さらに、それらはクレヨン試験にかけられた。
清浄特性、及び水編入性
0006692750.tif 000009
【０１２５】
例１５:不織布を持続的洗濯結果について試験する。
【０１２６】
試験片は、目視できる穴があくまで、連続的に洗濯され、評価のため５０回毎の洗濯後に中断された。
その後、洗濯は中止された:
試験片                穴あきまでのサイクル数
No. 1            400
No. 2            250
No. 3            800
No. 4            400
No. 5            450
No. 6            500
No. 7            500
No. 8            600
No. 9            550
No. 10            350
【０１２７】
例１６：不織布の目視検査
図２から図６は、典型的な不織布の表面写真を示す。
【０１２８】
図２は、不織布２番の表面組織を表すが、２５０回の洗濯サイクル後、本発明に従わなくなる。
表面が非常に荒く、高いピリンググレードを有することが、分かる。
図３は、不織布１番の表面組織を表すが、２５０回の洗濯サイクル後、本発明に従わなくなる。
不織布２番と比べると、表面に改善された外観性があるが、それはまだ荒く、高いピリンググレードを有する。
【０１２９】
図４は、不織布３番の表面組織を表すが、２５０回の洗濯サイクル後、本発明に従わなくなる。
不織布２番と比べると、表面には著しく改善された外観性がある。
しかしながら、既に上述されたように、とりわけ、その耐引裂性が低すぎるので、全てＰＩＥ３２から成る不織布は、単に制限される有用性を有するに過ぎない。
【０１３０】
図５では、５００回の洗濯サイクル後の発明に係る不織布７番の表面組織が、発明に係らない、不織布１番（６５０回の洗濯サイクル後）及び不織布３番（８００回の洗濯サイクル後）と比較される。
ＰＩＥ３２のみから成る、不織布３番に対し、発明に係る不織布７番の表面は、同様の外観性を有することが分かる。
加えて、例えば好ましい水管理能、高い引裂強さ、良好なピリンググレード、良好な清浄特性等において、顕著な性能特性を有することが明記されるべきである。
対照的に、発明に係らない不織布１番には、明確な穴あきが示された。
【０１３１】
図６は、発明に係る不織布７番の断面を示す。
ウォータージェット固化により、微細なＰＩＥ３２要素群がより粗い繊維群からなる層群内へ深く運び込まれているという点で、いわゆる「触手効果」が明確に目視可能である。
【図１】
0006692750.tif 000010
【図２】
0006692750.tif 000011
【図３】
0006692750.tif 000012
【図４】
0006692750.tif 000013
【図５】
0006692750.tif 000014
【図６】
0006692750.tif 000015